(57)【要約】【課題】  原稿面への高い照射効率と原稿面方向における発光強度の低減とを両立する。【解決手段】  画像読取装置の原稿面６０１上の主走査方向の線状の照射領域を光照射する光照射光学系であって、光源６０２と、光源６０２から出射された光を導光する導光体５０１と、導光体５０１から出射された光の一部を原稿面６０１に反射させる反射部材６１３と、を有してなり、照射領域は、導光体５０１から出射されて反射部材６１３で反射された反射光と、導光体５０１から出射されて反射部材６１３で反射されることのない直接光と、で照射され、導光体５０１は、光源からの光が入射する入射面５１１と、反射部材６１３に向かう光と照射領域に向かう光とが出射する出射面５１４と、を備え、反射部材６１３は、導光体５０１から出射される光の発光強度の最も強い方向上に配置されている。【選択図】図１
2014200085.tif 000002
【特許請求の範囲】
【請求項１】
画像読取装置の原稿面上の主走査方向の線状の照射領域を光照射する光照射光学系であって、
光源と、
前記光源から出射された光を導光する導光体と、
前記導光体から出射された光の一部を前記原稿面に反射させる反射部材と、
を有してなり、
前記照射領域は、前記導光体から出射されて前記反射部材で反射された反射光と、前記導光体から出射されて前記反射部材で反射されることのない直接光と、で照射され、
前記導光体は、前記光源からの光が入射する入射面と、前記反射部材に向かう光と前記照射領域に向かう光とが出射する出射面と、を備え、
前記反射部材は、前記導光体から出射される光の発光強度の最も強い方向上に配置されている、
ことを特徴とする光照射光学系。
【請求項２】
前記導光体から前記反射部材に向かう光は、前記出射面のみから出射される、
請求項１記載の光照射光学系。
【請求項３】
前記導光体から前記反射部材で反射されることなく前記照射領域に向かう光は、前記出射面のみから出射される、
請求項１または２記載の光照射光学系。
【請求項４】
前記導光体は、前記入射面から入射した光の一部を前記照射領域に全反射させる全反射面を備え、
前記出射面からは、前記全反射面で全反射されて前記照射領域に向かう光と、前記全反射面で全反射されることなく前記反射部材に向かう光とが、出射される、
請求項１乃至３のいずれかに記載の光照射光学系。
【請求項５】
前記出射面は、前記反射部材の後方の前記導光体から出射される光の発光強度の最も強い方向上からは目視不能である、
請求項４記載の光照射光学系。
【請求項６】
前記光源から出射される光の波長が３８０ｎｍ〜４８０ｎｍのときの前記反射部材の反射率は、前記光源から出射される光の波長が４８１ｎｍ〜７８０ｎｍのときの前記反射部材の反射率より低い、
請求項１乃至５のいずれかに記載の光照射光学系。
【請求項７】
前記反射部材の反射率は１より小さい、
請求項１乃至６のいずれかに記載の光照射光学系。
【請求項８】
前記導光体と前記反射部材とは、間隔をもって配置されている、
請求項１乃至７のいずれかに記載の光照射光学系。
【請求項９】
原稿面上の原稿の画像情報を読み取る画像読取装置であって、
前記原稿面を照射する光照射光学系と、
前記原稿面からの反射光を集光する集光部材と、
前記集光部材で集光された光を受光する受光部材と、
を備え、
前記光照射光学系は、請求項１乃至８のいずれかに記載の光照射光学系である、
ことを特徴とする画像読取装置。
【請求項１０】
原稿面上の原稿の画像情報を読み取る画像読取装置と、
前記画像読取装置で読み取られた画像情報に基づいて記録媒体に前記原稿の画像を形成する画像形成装置であって、
前記画像読取装置は、請求項９記載の画像読取装置である、
ことを特徴とする画像形成装置。
【発明の詳細な説明】
【技術分野】
【０００１】
本発明は、複写機、ファクシミリ装置、イメージスキャナなどに使用される画像読取装置の光照射光学系と、この光照射光学系を備える画像読取装置と、この画像読取装置を備える画像形成装置に関するものである。
【背景技術】
【０００２】
複写機、ファクシミリ装置、イメージスキャナなどの画像読取装置は、コンタクトガラス上の読取対象物である原稿面に向けて読取光を出射する光源を有する。そして、画像読取装置は、原稿面で反射されて読取光軸に沿って進行する読取光を結像させる結像レンズと、結像された読取光を撮像して原稿画像を読み取るＣＣＤ（Charge Coupled Device）などの撮像素子と、を備える画像読取部を有する。
【０００３】
このような画像読取装置の光源としては、一般的には蛍光灯やキセノンランプなどの棒状光源、あるいは、ＬＥＤ（Light Emitting Diode）などの点光源が使用される。特にＬＥＤは、光源の立ち上がりスピードの高速化、長寿命化、省エネルギー化などの要望から、蛍光灯やキセノンランプに代わる光源として採用されることが多くなっている。
【０００４】
図１は、従来の画像読取装置の照射光学系の側面図である。同図に示すように、照射光学系には、第１走行体１０３に取り付けられる側面形状がＶ字状のブラケット１２１と、ブラケット１２１に取り付けられる回路基板１２３に、ＬＥＤ１２２が取り付けられている。
【０００５】
また、第１走行体１０３には、ＬＥＤ１２２からの光を反射して、照度分布を適正化するため、及び、いわゆる切り貼り原稿を読み取る際の影を解消するための反射板（以下「リフレクタ」という。）１１８が取り付けられている。
【０００６】
ところで、図１に示す照射光学系を採用した従来の画像読取装置では、原稿面１０２から不図示の撮像素子までの距離（光路）が長い。つまり、従来の画像読取装置では、原稿面１０２から撮像素子までの間で生じる読取光の減衰が大きくなるため、ＬＥＤ１２２の照度を高くする必要がある。
【０００７】
ここで、ＬＥＤ１２２は、１つの光束量が小さく、照射範囲が狭いという特性がある。そのため、従来の画像読取装置では、原稿の主走査方向に複数個のＬＥＤ１２２をアレイ状に設置し、原稿面１０２での照度が高くなるようにしている。
【０００８】
このように、ＬＥＤ１２２をアレイ状に配列した場合には、原稿面１０２の副走査方向において良好な照度分布を得るため、ＬＥＤ１２２をブラケット１２１によって原稿面１０２に対向するように傾けて配置することが好ましい。このときの原稿面１０２での副走査方向の照度分布は、原稿面１０２の照射領域Ｅ、すなわち、原稿の実際の読取領域のみに光が照射されるように分布させることが望ましい。
【０００９】
しかし、ＬＥＤ１２２を傾けて配置し、ＬＥＤ１２２からの照射光をリフレクタ１１８によって原稿面１０２に反射させた場合であっても、原稿面１０２での副走査方向の照度分布を参照すると、照射領域Ｅ以外の領域にも光が照射されることが分かる。
【００１０】
この場合には、例えば、白色部に挟まれた小さい黒ベタ部を持つ画像を読み取ると、照射領域Ｅにある白色部の原稿に反射した光が撮像素子に入ってしまう。つまり、この場合には、黒ベタ部に対応する撮像素子の出力値が上がってしまうため、黒ベタ部を忠実に再現できないという不具合を生じる。
【００１１】
これまでにも、このような不具合を解消するものが提案されている。ＬＥＤアレイの照射面に主走査方向にわたる導光体を設け、この導光体によってＬＥＤから照射される光を照射領域内に導くことにより、照度分布を照射領域において均一にするようにした照明装置である（例えば、特許文献１参照）。
【００１２】
また、画像読取装置の小型化・薄型化に対応するために、照射光学系の導光体の側面の一部を全反射面として、ＬＥＤの照射方向と照射位置の方向が異なっていても、所定の照射位置へ光を導光させる技術が知られている（例えば、特許文献２や特許文献３参照）。
【発明の概要】
【発明が解決しようとする課題】
【００１３】
しかしながら、上述した従来の技術では、原稿面方向への発光強度の強い光による問題について考慮されていなかった。
【００１４】
すなわち、上述した従来の技術における光照射光学系の光源には、一般にいわゆる疑似白色ＬＥＤが用いられている。ここで、疑似白色ＬＥＤは、青色ＬＥＤの発光面に黄色の蛍光体を載置することにより、疑似的に白色光を生成している。そのため、疑似白色ＬＥＤの光の成分には、波長が３８０〜４８０ｎｍの青色光の成分を多く含むことが知られている。
【００１５】
一方で、青色光の成分は、人間の網膜に対して影響があるため、原稿面方向へ向かう光の発光強度を低減することが求められている。
【００１６】
本発明は、原稿面への高い照射効率と原稿面方向における発光強度の低減とを両立することができる光照射光学系を提供することを目的とする。
【課題を解決するための手段】
【００１７】
本発明は、画像読取装置の原稿面上の主走査方向の線状の照射領域を光照射する光照射光学系であって、光源と、光源から出射された光を導光する導光体と、導光体から出射された光の一部を原稿面に反射させる反射部材と、を有してなり、照射領域は、導光体から出射されて反射部材で反射された反射光と、導光体から出射されて反射部材で反射されることのない直接光と、で照射され、導光体は、光源からの光が入射する入射面と、反射部材に向かう光と照射領域に向かう光とが出射する出射面と、を備え、反射部材は、導光体から出射される光の発光強度の最も強い方向上に配置されている、ことを特徴とする。
【発明の効果】
【００１８】
本発明によれば、原稿面への高い照射効率と原稿面方向における発光強度の低減とを両立することができる。
【図面の簡単な説明】
【００１９】
【図１】従来の画像読取装置の光照射光学系の側面図である。
【図２】本発明に係る光照射光学系の実施の形態を示す側面図である。
【図３】上記光照射光学系の導光体を示す側面図である。
【図４】上記光照射光学系からの照射光の出射角に対する光度分布を示す図である。
【図５】上記光照射光学系の比較例の光照射光学系を示す側面図である。
【図６】上記比較例の光照射光学系からの照射光の出射角に対する光度分布を示す図である。
【図７】疑似白色ＬＥＤの波長スペクトル分布の一例を示す図である。
【図８】「JIS C 6802,IEC60825」において定義されている、所定波長の光による人間の網膜への影響度を示す図である。
【図９】「JIS C 7550,IEC/EN62471」において定義されている、所定波長の光による人間の網膜への影響度を示す図である
【図１０】本発明に係る画像読取装置の実施の形態を示す副走査方向の中央断面図である。
【図１１】上記画像読取装置の駆動ワイヤとプーリの関係を説明するための模式図である。
【図１２】上記駆動ワイヤの連結状態を示す模式図である。
【図１３】本発明に係る画像形成装置の中央断面図である。
【発明を実施するための形態】
【００２０】
以下、本発明に係る光照射光学系と画像読取装置と画像形成装置の実施の形態について、図面を参照しながら説明する。
【００２１】
●光照射光学系（１）●
まず、本発明に係る光照射光学系の実施の形態について説明する。
【００２２】
図２は、本発明に係る光照射光学系の実施の形態を示す側面図である。本発明に係る光照射光学系は、不図示の第１キャリッジ上に設置される。同図に示すように、光照射光学系は、光源６０２と、導光体５０１と、反射部材としての対向リフレクタ６１３と、を有してなる。
【００２３】
光照射光学系は、ガラスのような透明な材料で構成されるコンタクトガラス６０４の読取光学系光軸６０５上とその近傍上に配置される原稿面６０１上の主走査方向の線状の領域（以下「照射領域」という。）を照射する。ここで、光照射光学系は、導光体５０１から原稿面６０１への直接光と対向リフレクタ６１３からの反射光との、２つの方向の光にて照射領域を照射する。
【００２４】
読取光学系光軸６０５上に設置された不図示の読取光学系は、原稿面６０１にて反射・拡散された光の一部を読み取る。ここで、照射領域の中心位置（以下「照射位置」という。）と、原稿面６０１上における読取光学系光軸６０５が交差する点は、一致またはほぼ一致している。
【００２５】
ここで、図２における紙面上下方向をＹ軸方向、紙面左右方向をＺ軸方向、Ｙ軸方向とＺ軸方向とに直交する方向をＸ軸方向とする。Ｚ軸方向は、光源６０２が発する照射角度分布において、最も強い光線が発せられる副走査方向である。また、Ｘ軸方向は、副走査方向と直交する主走査方向である。
【００２６】
また、導光体５０１から原稿面６０１を直接照射する光と対向リフレクタ６１３を介して原稿面６０１を照射する光とが交差する位置のＹ軸方向の座標は、コンタクトガラス６０４の表面よりもわずかに＋Ｙ方向（図２における紙面上方向）に位置する。これは、原稿がコンタクトガラス６０４の表面から浮き上がった状態であっても、適切に原稿面６０１を照射できるようにするためである。
【００２７】
光源６０２は、例えばＬＥＤやＬＤ（Laser Diode）などの点光源、蛍光灯やＣＣＦＬ（Cold Cathode Fluorescent Lamp）などの線光源を用いることができる。
【００２８】
本実施の形態では、光源６０２として、青色発光素子からの青色光により黄色蛍光体を励起し青色光と黄色蛍光体からの黄色光との混色により疑似的に白色光を生成する、疑似白色ＬＥＤを用いる。
【００２９】
光源６０２は、主走査方向に複数個の発光素子が並べられて発光面を形成している。光源６０２から出射される光の発光強度の最も強い方向は、光源６０２と照射領域とを結ぶ方向とは異なる方向である。
【００３０】
導光体５０１は、光源６０２からの光が入射する入射面５１１と、入射面５１１から入射した光が出射する出射面５１４と、入射面５１１から入射した光の一部を出射面５１４に導光する導光部と、を備える。ここで、導光体５０１は、出射面５１４を１面のみ備える。つまり、導光体５０１は、出射面を複数有する導光体と比較して、容易に作製することができる。
【００３１】
対向リフレクタ６１３は、読取光学系光軸６０５を挟んで導光体５０１の反対側の、光源６０２から出射される光の発光強度の最も強い方向上に配置されている。このように、対向リフレクタ６１３により読取光学系光軸６０５を挟んだ２方向から光を照射することで、本実施の形態に係る光照射光学系によれば、切り貼り原稿における影を無くすことができる。
【００３２】
対向リフレクタ６１３は、読取光学系光軸６０５を挟んで導光体５０１の反対側の、光源６０２から出射される光の発光強度の最も強い方向上に配置されているため、対向リフレクタ６１３の後方（図２の紙面右側）からは出射面５１４を目視不能である。
【００３３】
対向リフレクタ６１３は、例えば、アルミ板やアルミの蒸着面、あるいはアルミシートなどにより構成される。ここで、対向リフレクタ６１３の反射率は、１より小さい値であり、通常０．８〜０．９程度である。
【００３４】
図３は、本実施の形態に係る光照射光学系の導光体５０１を示す側面図である。導光体５０１は、長尺の導光体であり、長尺方向（Ｘ軸方向）が主走査方向と一致している。
【００３５】
導光部は、入射面５１１から入射した光を導光体５０１内部に伝播させる側面５１２，５１３，５１６と全反射面５１５とを備える。全反射面５１５は、入射面５１１から入射した光の一部を照射領域に全反射させる。
【００３６】
導光体５０１は、ＹＺ平面において６つの頂点５１，５２，５３，５４，５５，５６を有する。ここで、頂点５１，５６は、入射面５１１に含まれる。頂点５３，５４は、出射面５１４に含まれる。頂点５４，５５は、全反射面５１５に含まれる。頂点５１，５２は、側面５１２に含まれる。頂点５２，５３は、側面５１３に含まれる。頂点５５，５６は、側面５１６に含まれる。
【００３７】
導光体５０１は、６つの頂点５１，５２，５３，５４，５５，５６のうち、頂点５２と頂点５５とで原稿面６０１側に屈曲する１の屈曲部を有している。つまり、全反射面５１５は、頂点５５から頂点５４に向かって原稿面６０１側へ傾斜している。
【００３８】
また、全反射面５１５と出射面５１４とを接続する頂点５４のＹ軸方向（図３の紙面上下方向）の位置は、入射面５１１に含まれる２つの頂点５１と頂点５６の間に位置している。
【００３９】
側面５１２，５１３，５１６と全反射面５１５は、鏡面状に磨かれている。そのため、導光体５０１では、入射面５１１から入射した光は、側面５１２，５１３，５１６と全反射面５１５により全反射されて導光体５０１の内部を伝播される。つまり、導光体５０１は、反射によるロスが発生することなく、入射光を効率よく出射面５１４に到達させることができる。
【００４０】
なお、入射面５１１または出射面５１４には、光照射光学系が満足すべき規格を達成するため、あるいは光照射光学系の光線照射角度特性を所望の特性にするために、シボやドットパターンなどの透過型の拡散構造を設けてもよい。
【００４１】
ここで、拡散構造を設けた面は、鏡面状に磨かれている導光体５０１の他の側面と比較して、透過効率が低下する傾向がある。このため、高い光量利用効率が求められる光照射光学系において、入射面５１１と出射面５１４の双方に拡散構造を設けるのは望ましくない。この傾向は、反射面に付与された反射型の拡散構造の場合も同様である。
【００４２】
したがって、本実施の形態に係る光照射光学系は、原稿面の所望の照射位置に到達する全ての光が透過または反射する面に拡散構造を設けるのが望ましい。導光体５０１の場合には、入射面５１１または出射面５１４のいずれか一方に拡散構造を設けるのが望ましい。
【００４３】
本実施の形態においては、出射面５１４に拡散構造を設けているものとする。
【００４４】
光源６０２から出射された光は、入射面５１１から導光体５０１内に入射される。ここで、導光体５０１に入射した光は、出射面５１４のみから出射して原稿面６０１へ照射されるが、導光体５０１により２つの光路に分割される。
【００４５】
導光体５０１により分割される一方の光路は、原稿面側に向かって傾斜した全反射面５１５で反射され、出射面５１４から原稿面６０１の方向に直接照射される光路である。
【００４６】
導光体５０１により分割される他方の光路は、導光体５０１に入射した後に全反射面５１５で反射されることなく、出射面５１４から対向リフレクタ６１３方向に照射される光路である。
【００４７】
つまり、１面のみの出射面５１４からは、全反射面５１５で全反射されて照射領域に向かう光と、全反射面５１５で全反射されることなく対向リフレクタ６１３に向かう光との、２つの光路の光が出射される。
【００４８】
図２に示すように、本実施の形態に係る光照射光学系では、光束Ａと光束Ｂと光束Ｃの主に３つの方向に光が出射する。同図において、０°は図２における＋Ｚ軸方向に相当し、＋９０°＋Ｙ軸方向に相当する。
【００４９】
光束Ａは、導光体５０１に入射した後に全反射面５１５で反射されることなく、出射面５１４から出射される。光束Ａの出射方向は＋Ｚ軸から＋Ｙ軸へ約＋２０°の方向である。
【００５０】
光束Ａは、光源６０２から出射される光の発光強度の最も強い方向の光束であり、読取光学系光軸６０５を挟んで導光体５０１の反対側に配置されている対向リフレクタ６１３により反射される。このため、光束Ａは、＋Ｚ軸から＋Ｙ軸へ約＋１２０°の方向に出射される。
【００５１】
また、光束Ｂは、全反射面５１５で反射され、出射面５１４から原稿面６０１の方向の約＋５０°の方向に出射される。
【００５２】
また、光束Ｃは、導光体５０１に入射した後に全反射面５１５で反射されることなく、出射面５１４から対向リフレクタ６１３方向の約＋１２０°の方向に出射される。
【００５３】
図４は、本実施の形態に係る光照射光学系からの照射光の出射角に対する光度分布を示す図である。同図に示すように、本実施の形態に係る光照射光学系では、光束Ａの出射角である＋Ｚ軸から＋Ｙ軸へ約＋２０°の方向に光の照射がされていないことを示している。
【００５４】
図５は、本発明に係る比較例の光照射光学系を示す側面図である。同図に示すように、比較例の光照射光学系は、対向リフレクタ６０３の位置が、本実施の形態に係る光照射光学系の対向リフレクタ６１３と相違する。すなわち、比較例の光照射光学系は、対向リフレクタ６０３が、読取光学系光軸６０５を挟んで導光体５０１の反対側の、光源６０２から出射される光の発光強度の最も強い方向より下方（−Ｙ軸方向）に配置されている。
【００５５】
そのため、比較例の光照射光学系では、光束Ａが、導光体５０１に入射した後に全反射面５１５で反射されることなく、出射面５１４から対向リフレクタ６１３方向の約＋２０°の方向に出射され、コンタクトガラス６０４を透過する。
【００５６】
図６は、比較例の光照射光学系からの照射光の光度分布を示す図である。同図に示すように、比較例の光照射光学系では、対向リフレクタ６０３により光束Ａが反射されないため、光束Ａの出射角である＋Ｚ軸から＋Ｙ軸へ約＋２０°の方向に光度の分布が生じている。
【００５７】
一方、比較例の光照射光学系では、光束Ｃの照射方向である＋１２０°の方向の光度は、図４に示す本実施の形態に係る光照射光学系の＋１２０°の方向の光度と比較して、低い値となっている。
【００５８】
ここで、光照射光学系の安全規格指標値は、出射面から所定距離（例えば、２００ｍｍ）の位置に受光器を配置し、出射面を中心として受光器を回転させて、測定される分光強度値が最も高い点の数値によって算出される。
【００５９】
つまり、本実施の形態に係る光照射光学系では、光源６０２から出射される光の発光強度の最も強い方向の光束である光束Ａの最大ピーク値が現れる方向に、出射面５１４から２００ｍｍ離れた点に検出器を配置して分光強度値を測定する。そして、本実施の形態に係る光照射光学系では、出射面５１４から２００ｍｍ離れた点における分光強度値が、安全規格指標値以下でなければならない。
【００６０】
また、分光強度値を観測する受光器の大きさは、光照射光学系の出射面から配置される位置までの距離に対し十分小さい。
【００６１】
本実施の形態に係る光照射光学系では、光源６０２から出射される光の発光強度の最も強い方向の光束である光束Ａの照射方向に対向リフレクタ６１３を配置しているため、光照射光学系からの最大光度が測定される光を対向リフレクタ６１３により反射させている。
【００６２】
つまり、本実施の形態に係る光照射光学系では、受光器の位置を決める基準となる光が出射する面が、導光体５０１の出射面５１４ではなく対向リフレクタ面６１３となる。
【００６３】
図２に示すように、本実施の形態に係る光照射光学系において、出射面５１４と対向リフレクタ６１３との間には、原稿面６０１から反射された光を読み取る、読取光学系光軸６０５が配置される。このため、導光体５０１と対向リフレクタ６１３とは密着させることができず、双方は間隔をもって配置される。
【００６４】
すなわち、本実施の形態に係る光照射光学系では、光線Ａの出射方向上に対向リフレクタ６１３を配置させることで、比較例の光照射光学系より出射面５１４から対向リフレクタ６１３までの距離の分だけ出射面５１４からの原稿面６０１までの距離が長くなる。
【００６５】
本実施の形態に係る光照射光学系では、出射面５１４からの原稿面６０１までの距離が長くなることにより、受光器に到達するまでの光の減衰が大きくなるため、安全規格指標値として測定される分光強度値を低減させることができる。
【００６６】
また、本実施の形態に係る光照射光学系では、対向リフレクタ６１３による反射光の分光強度値が安全規格指標値として測定されるため、対向リフレクタ６１３の反射率により分光強度値を減衰させることができる。
【００６７】
図７は、疑似白色ＬＥＤの波長スペクトル分布の一例を示す図である。同図では、本実施の形態に係る光照射光学系の光源６０２として用いられる疑似白色ＬＥＤは、波長３８０ｎｍ〜４８０ｎｍの青色光の成分を多く含んでいることを示している。
【００６８】
図８は、「JIS C 6802,IEC60825」において定義されている、所定波長の光による人間の網膜への影響度を示す図である。また、図９は、「JIS C 7550,IEC/EN62471」において定義されている、青色光による人間の網膜への影響度を示す図である。
【００６９】
図８と図９では、青色光の成分に近い波長の光は、人間の網膜に対する影響が大きいことを示している。つまり、本実施の形態に係る光照射光学系において、青色光の成分を低減することができれば、人間の網膜に対する影響を低減することができる。
【００７０】
そこで、本実施の形態に係る光照射光学系と比較例の光照射光学系のそれぞれについて、「青色光による網膜障害(JIS C 7550, IEC/EN62471)」に関わる安全規格指標値を、シミュレーションにより算出した。
【００７１】
その結果、比較例の光照射光学系の安全規格指標値が８５であるのに対し、本実施の形態に係る光照射光学系の安全規格指標値は７７である。つまり、本実施の形態に係る光照射光学系によれば、安全規格指標値を１０％程度低減することができる。
【００７２】
以上説明した本実施の形態に係る光照射光学系によれば、安全規格指標値を低減することができるため、光源６０２に用いるＬＥＤの個数を増加させる、あるいはＬＥＤへの投入電流値を上げることができる。すなわち、本実施の形態に係る照射光学系によれば、明るい照明光学系を提供することができる。
【００７３】
以上説明した本実施の形態に係る光照射光学系によれば、原稿面６０１への高い照射効率と原稿面６０１方向における発光強度の低減とを両立することができる。
【００７４】
●光照射光学系（２）●
次に、本発明に係る光照射光学系の別の実施の形態について、先に説明した実施の形態との相違点を中心に説明する。
【００７５】
先に説明した実施の形態では、対向リフレクタ６１３の反射率を一定値として、安全規格指標値のシミュレーションによる安全規格指標値を算出した。
【００７６】
本実施の形態に係る光照射光学系では、波長３８０ｎｍ〜４８０ｎｍの光に対する反射率を低下させるために、対向リフレクタ６１３に多層膜コーティングを施す。
【００７７】
ここで、本実施の形態における対向リフレクタ６１３には、波長３８０〜４８０ｎｍに対する反射率を他の波長（４８１〜７８０ｎｍ）の反射率と比較して１０％程度低下させるような多層膜コーティングを施す。
【００７８】
以上のような多層膜コーティングを施した対向リフレクタ６１３を備える本実施の形態に係る光照射光学系について、「青色光による網膜障害(JIS C 7550, IEC/EN62471)」に関する安全規格指標値のシミュレーションを行う。
【００７９】
その結果、本実施の形態に係る光照射光学系の安全規格指標値は、７２となる。つまり、本実施の形態に係る光照射光学系によれば、比較例の光照射光学系に対して１５％程度安全規格指標値を低下させることができる。
【００８０】
したがって、本実施の形態に係る光照射光学系では、「網膜の光化学的障害(JIS C 6802, IEC60825)」や、「青色光による網膜障害(JIS C 7550,IEC/EN62471)」の安全規格指標値を低減することができる。
【００８１】
●画像読取装置●
次に、本発明に係る画像読取装置の実施の形態について説明する。本実施の形態では、本発明に係る画像読取装置をイメージスキャナに適用した例を用いて説明する。
【００８２】
図１０は、本発明に係る画像読取装置１３の実施の形態を示す副走査方向の中央断面図である。ここで、同図は、画像読取装置１３の各部品の位置関係を示す。
【００８３】
図１１は、画像読取装置１３の駆動ワイヤとプーリの関係を説明するための模式図である。また、図１２は、駆動ワイヤの連結状態を示す模式図である。
【００８４】
画像読取装置１３は、第１キャリッジ３５、第２キャリッジ３６を図１０において左右方向（副走査方向）に駆動する。画像読取装置１３は、光源６０２からの光を導光体５０１と対向リフレクタ６１３とを介して原稿面６０１に読取光を照射して、原稿面６０１上の原稿の画像情報を読み取る。
【００８５】
原稿面６０１によって反射された反射光は、反射光を集光する集光部材としてのミラーと、光を受光する受光部材としてのレンズユニット３７とを介して、ＣＣＤ等の撮像素子５７に取り込まれる。
【００８６】
図１１に示すように、画像読取装置１３は、本体フレーム３１、駆動軸３２、駆動ワイヤ３３、ワイヤ駆動プーリ３４、第１キャリッジ３５、第２キャリッジ３６を備えている。また、画像読取装置１３は、レンズユニット３７、張力スプリング３９、キャリッジプーリ４０、アイドラプーリ４１、４２、撮像素子５７を備えている。
【００８７】
本体フレーム３１の内部には、図示しない第１レールと第２レールが設けられている。第１レールには走行体としての第１キャリッジ３５が摺動自在に取り付けられている。また、第２レールには第２キャリッジ３６が摺動自在に取付けられている。
【００８８】
駆動軸３２は、図示しないモータに連結されている。また、駆動軸３２の両端部には、ワイヤ駆動プーリ３４が取り付けられている。ワイヤ駆動プーリ３４には駆動ワイヤ３３が巻回されている。
【００８９】
駆動ワイヤ３３は、図１１と図１２における左右方向に延在している。駆動ワイヤ３３は、第１キャリッジ３５の駆動用と第２キャリッジ３６の駆動用の２本が用いられる。図１１と図１２において、駆動ワイヤ３３は、第２キャリッジ３６の駆動用のものが図示されている。
【００９０】
なお、駆動ワイヤ３３とアイドラプーリ４１、４２は、本体フレーム３１の前後に１本ずつの計２本が設けられている。ここで、２本の駆動ワイヤ３３とアイドラプーリ４１、４２は、同一の構成と機能を有するため、一方の駆動ワイヤ３３、アイドラプーリ４１、４２について説明する。
【００９１】
画像読取装置１３では、本体フレーム３１の四隅に、駆動ワイヤ３３が２本、アイドラプーリ４１、４２が４個設けられている。
【００９２】
第２キャリッジ３６にはキャリッジプーリ４０が設けられている。駆動ワイヤ３３は、キャリッジプーリ４０やアイドラプーリ４１、４２を経由する。
【００９３】
第１キャリッジ３５には、本発明に係る光照射光学系が搭載されている。つまり、画像読取装置１３は、導光体５０１から原稿面６０１に直接照射される光と対向リフレクタ６１３側から照射される光との２つの方向からの光を原稿面６０１に照射する。
【００９４】
すなわち、画像読取装置１３によれば、原稿面６０１への高い照射効率と原稿面６０１方向における発光強度の低減とを両立することができる。
【００９５】
●画像形成装置●
次に、本発明に係る画像形成装置の実施の形態について説明する。
【００９６】
図１３は、本発明に係る画像形成装置の中央断面図である。本実施の形態では、本発明に係る画像形成装置の例としてカラー複写機（以下「複写機」という。）を示している。
【００９７】
なお、本発明に係る画像形成装置の別の例としては、イメージスキャナを有するファクシミリ装置、複写機能とファクシミリ機能等を備えた複合機などがある。
【００９８】
図１３において、複写機１０は、自動原稿搬送装置１１、給紙部１２、画像読取部（画像読取装置）１３、画像形成部（画像形成手段）１４を備えている。
【００９９】
自動原稿搬送装置１１は、原稿トレイ１６に載置された原稿を、給紙ローラや分離ローラ等の各種ローラからなる分離給紙手段１７によって、透明部材としてのコンタクトガラス上に搬送する。
【０１００】
搬送ベルト１８は、読み取りが終了した原稿をコンタクトガラス上から搬出する。各種排紙ローラからなる排紙手段１９は、搬送ベルト１８から搬送された原稿を排紙トレイ２０に排紙する。
【０１０１】
また、原稿の両面を読み取る場合には、排紙手段１９に設けられた分岐機構と搬送ベルト１８によって原稿をコンタクトガラス上に返送して、未読取面の読み取りを行う。
【０１０２】
給紙部１２は、記録媒体として異なるサイズの記録紙を収納する給紙カセット２１ａ、２１ｂと、給紙カセット２１ａ、２１ｂに収納された記録紙を転写位置まで搬送する各種ローラからなる給紙手段２２とを備えている。
【０１０３】
画像読取装置１３は、前述した本発明に係る画像読取装置の構成を有する。すなわち、画像読取装置１３は、本発明に係る光照射光学系を搭載する第１キャリッジ３５、第２キャリッジ３６を図１３において紙面左右方向（副走査方向）に駆動して光源からの光を導光体と対向リフレクタとを介して原稿面６０１に読取光を照射する。
【０１０４】
原稿面６０１で反射された読取光は、ミラーとレンズユニット３７とを介してＣＣＤ等の撮像素子５７に取り込まれる。
【０１０５】
画像形成部１４は、露光装置２３と、感光体ドラム２４と、現像装置２５と、転写ベルト２６と、定着装置２７とを備える。
【０１０６】
露光装置２３は、レンズユニット３７に取り込まれた読取信号に基づいて書き込み信号を形成する。複数の感光体ドラム２４には、露光装置２３によって生成された書き込み信号が表面に形成される。
【０１０７】
現像装置２５は、シアン、マゼンタ、イエロー、ブラックとそれぞれ異なる色のトナーが充填される。現像装置２５は、各感光体ドラム２４に異なる色のトナーを供給して書き込み信号を可視像化させる。
【０１０８】
転写ベルト２６は、感光体ドラム２４上に形成された可視像が重ねられて転写されることによりカラー画像が形成され、このカラー画像を給紙部１２から給紙された記録紙に転写する。定着装置２７は、記録紙に形成されたカラー画像を記録紙に定着させる。
【０１０９】
以上説明した本発明に係る画像形成装置では、導光体から原稿面６０１に直接照射される光と対向リフレクタ側から照射される光との２つの方向からの光が、原稿面６０１に照射される。
【０１１０】
よって、本発明に係る画像形成装置によれば、原稿面６０１への高い照射効率と原稿面６０１方向における発光強度の低減とを両立することができる。
【符号の説明】
【０１１１】
１０      ：複写機
１３      ：画像読取装置
５０１    ：導光体
５１１    ：入射面
５１２    ：側面
５１３    ：側面
５１４    ：出射面
５１５    ：全反射面
５１６    ：側面
６０１    ：原稿面
６０２    ：光源
６１３    ：対向リフレクタ
６０４    ：コンタクトガラス
６０５    ：読取光学系光軸
【先行技術文献】
【特許文献】
【０１１２】
【特許文献１】特開２００７−５８６０号公報
【特許文献２】特開２０１０−２１９６００号公報
【特許文献３】特開２０１１−０７１６０８号公報
【図１】
2014200085.tif 000003
【図２】
2014200085.tif 000004
【図３】
2014200085.tif 000005
【図４】
2014200085.tif 000006
【図５】
2014200085.tif 000007
【図６】
2014200085.tif 000008
【図７】
2014200085.tif 000009
【図８】
2014200085.tif 000010
【図９】
2014200085.tif 000011
【図１０】
2014200085.tif 000012
【図１１】
2014200085.tif 000013
【図１２】
2014200085.tif 000014
【図１３】
2014200085.tif 000015